(57)【要約】【課題】美観を損ねることなく、且つ持ち運びに適した印刷形態で印刷物を出力させることができる情報処理システム及び画像形成装置を提供する。【解決手段】情報処理システム１は、画像形成装置５と、電子機器７とが各種情報を送受信する。画像形成装置５は、印刷物を収容するものの仕様情報を受信する装置通信部５３と、装置通信部５３により受信される仕様情報に基づき、印刷物を収容するものの収容容量に応じた少なくとも１つ以上の収容適合印刷設定５１１２を作成する装置制御部５９とを含む。収容適合印刷設定５１１２は、印刷物を収容するものの収容可能容量以下で印刷物を出力させる印刷条件である。【選択図】図６
2018200362.tif 000002
【特許請求の範囲】
【請求項１】
印刷物を出力する画像形成装置と、前記画像形成装置と通信を行う電子機器と、が各種情報を送受信する情報処理システムであって、
前記画像形成装置は、
前記電子機器から送信される前記各種情報の１つとして、前記印刷物を収容するものの仕様情報を受信する装置通信部と、
前記装置通信部により受信される前記仕様情報に基づき、前記印刷物を収容するものの収容容量に応じた少なくとも１つ以上の収容適合印刷設定を作成する装置制御部と、
を備え、
前記収容適合印刷設定は、
前記印刷物を収容するものの収容可能容量以下で前記印刷物を出力させる印刷条件である、
情報処理システム。 
【請求項２】
前記画像形成装置は、
操作者の操作を受け付ける表示操作部、
をさらに備え、
前記装置制御部は、
前記表示操作部により受け付けられる前記操作者の操作により設定される操作者印刷設定に基づき出力される操作印刷物が、前記印刷物を収容するものの収容可能容量を超える場合、前記収容適合印刷設定を前記表示操作部に報知させる、
請求項１に記載の情報処理システム。
【請求項３】
前記装置制御部は、
前記操作者印刷設定及び前記収容適合印刷設定の何れか一方を前記表示操作部により選択可能とする、
請求項２に記載の情報処理システム。
【請求項４】
前記装置制御部は、
前記操作者印刷設定が設定又は選択されない場合、前記収容適合印刷設定に基づき、前記印刷物を出力させる、
請求項２又は３に記載の情報処理システム。
【請求項５】
前記装置制御部は、
前記装置通信部が前記仕様情報を受信しない場合、前記表示操作部が前記操作者の操作を受け付けているときの気象情報に基づき、前記印刷物の運搬に適した選択肢を前記表示操作部により報知させる、
請求項２〜４の何れか一項に記載の情報処理システム。
【請求項６】
前記装置制御部は、
前記印刷物を収容するものに複数の収容箇所がある場合、前記印刷物を収容するものにある複数の収容箇所のそれぞれに応じて前記収容適合印刷設定を作成する、
請求項２〜５の何れか一項に記載の情報処理システム。
【請求項７】
前記装置制御部は、
前記印刷物を収容するものにある複数の収容箇所のうち、最も大きな収容箇所及び最も収容物が少ない収容箇所の何れか一方に応じて、前記収容適合印刷設定を作成する、
請求項６に記載の情報処理システム。
【請求項８】
前記装置制御部は、
前記印刷物を収容するものが複数ある場合、前記印刷物を収容するもののそれぞれ、前記印刷物を収容するもののうち最も大きなもの、及び前記印刷物を収容するもののうち最も収容物が少ないもの、の何れか１つに応じて、前記収容適合印刷設定を作成する、
請求項２〜７の何れか一項に記載の情報処理システム。
【請求項９】
前記画像形成装置は、
前記操作者を検知する人感センサー、
をさらに備え、
前記装置制御部は、
前記人感センサーにより検知された前記操作者と前記画像形成装置との間の距離と、前記電子機器と前記画像形成装置との間の距離と、が同一であると判定する場合、前記仕様情報に対応する前記印刷物を収容するものが、前記操作者が使用するものであると判定する、
請求項２〜８の何れか一項に記載の情報処理システム。
【請求項１０】
前記収容適合印刷設定は、
前記印刷物の出力サイズが、前記印刷物を収容するものの収容可能サイズより小さい、
請求項２〜９の何れか一項に記載の情報処理システム。
【請求項１１】
前記収容適合印刷設定は、
前記印刷物の出力枚数が、前記印刷物を収容するものの収容可能枚数より少ない、
請求項２〜１０の何れか一項に記載の情報処理システム。
【請求項１２】
前記装置制御部は、
前記表示操作部に前記仕様情報を報知させ、且つ前記仕様情報を報知させた内容の確認入力を前記表示操作部に受け付けさせる、
請求項２〜１１の何れか一項に記載の情報処理システム。
【請求項１３】
電子機器と通信を行い、各種情報を送受信し、且つ印刷物を出力する画像形成装置であって、
前記電子機器から送信される前記各種情報の１つとして、前記印刷物を収容するものの仕様情報を受信する装置通信部と、
前記装置通信部により受信される前記仕様情報に基づき、前記印刷物を収容するものの収容容量に応じた少なくとも１つ以上の収容適合印刷設定を作成する装置制御部と、
を備え、
前記収容適合印刷設定は、
前記印刷物を収容するものの収容可能容量以下で前記印刷物を出力させる印刷条件である、
画像形成装置。
【発明の詳細な説明】
【技術分野】
【０００１】
本開示は、情報処理システム及び画像形成装置に関する。
【背景技術】
【０００２】
従来、コンビニエンスストア等に設置されているＭＦＰ（ＭｕｌｔｉＦｕｎｃｔｉｏｎ  Ｐｅｒｉｐｈｅｒａｌ）による印刷サービスを利用して印刷物を出力しに行ったりするとき、又は街頭でのパンフレット印刷サービス等で印刷物を受け取ったりするとき等のように印刷物を持ち帰る際、印刷物を持ち帰るということを、ユーザーがあまり意識できていない、又は準備ができていないことが多い。このような場合、印刷物の形態が、ユーザーの所持する鞄等に適していないことが多いため、印刷物は、折りたたまれたり、又は受け取りが拒否されることがある。
【０００３】
そこで、製本カバーのような印刷物を収容するものの収容可能サイズに合うように、原稿のサイズを変倍複写して印刷物を出力するものが提案されている（例えば、特許文献１参照）。
【先行技術文献】
【特許文献】
【０００４】
【特許文献１】特開平１０−１９４５６５号公報
【発明の概要】
【発明が解決しようとする課題】
【０００５】
特許文献１に記載のような従来技術は、サイズが明確な製本カバーのサイズをユーザーが認識したうえで印刷条件が設定されるものである。よって、印刷を指示する段階では、ユーザーは印刷物が適切に製本カバーに収容されることを予見できている前提で、適切なサイズの印刷物を得られるものである。
【０００６】
しかし、ユーザーが印刷物のサイズを明確に予見できていない場合、適切なサイズの印刷物を得るのは難しい。例えば、日常において、コピー又は印刷をあまり実施しない人にとっては、自身の所持する鞄のサイズを印刷物の用紙サイズと対比して検討する機会が少ない。したがって、そのような人は、印刷物を見てから鞄への収納の仕方を検討することが多い。その結果、印刷物を折らざるを得ない場面も多いため、美観を損ねる状況が生じている。つまり、従来技術においては、美観を損ねることなく、且つ持ち運びに適した印刷形態で印刷物を出力させることができない状況である。
【０００７】
本開示はこのような状況に鑑みてなされたものであり、美観を損ねることなく、且つ持ち運びに適した印刷形態で印刷物を出力させることができるようにするものである。
【課題を解決するための手段】
【０００８】
本開示の第１の側面である情報処理システムは、印刷物を出力する画像形成装置と、前記画像形成装置と通信を行う電子機器と、が各種情報を送受信する情報処理システムであって、前記画像形成装置は、前記電子機器から送信される前記各種情報の１つとして、前記印刷物を収容するものの仕様情報を受信する装置通信部と、前記装置通信部により受信される前記仕様情報に基づき、前記印刷物を収容するものの収容容量に応じた少なくとも１つ以上の収容適合印刷設定を作成する装置制御部と、を備え、前記収容適合印刷設定は、前記印刷物を収容するものの収容可能容量以下で前記印刷物を出力させる印刷条件である。
【０００９】
また、前記画像形成装置は、操作者の操作を受け付ける表示操作部、をさらに備え、前記装置制御部は、前記表示操作部により受け付けられる前記操作者の操作により設定される操作者印刷設定に基づき出力される操作印刷物が、前記印刷物を収容するものの収容可能容量を超える場合、前記収容適合印刷設定を前記表示操作部に報知させる、ことが好ましい。
【００１０】
また、前記装置制御部は、前記操作者印刷設定及び前記収容適合印刷設定の何れか一方を前記表示操作部により選択可能とする、ことが好ましい。
【００１１】
また、前記装置制御部は、前記操作者印刷設定が設定又は選択されない場合、前記収容適合印刷設定に基づき、前記印刷物を出力させる、ことが好ましい。
【００１２】
また、前記装置制御部は、前記装置通信部が前記仕様情報を受信しない場合、前記表示操作部が前記操作者の操作を受け付けているときの気象情報に基づき、前記印刷物の運搬に適した選択肢を前記表示操作部により報知させる、ことが好ましい。
【００１３】
また、前記装置制御部は、前記印刷物を収容するものに複数の収容箇所がある場合、前記印刷物を収容するものにある複数の収容箇所のそれぞれに応じて前記収容適合印刷設定を作成する、ことが好ましい。
【００１４】
また、前記装置制御部は、前記印刷物を収容するものにある複数の収容箇所のうち、最も大きな収容箇所及び最も収容物が少ない収容箇所の何れか一方に応じて、前記収容適合印刷設定を作成する、ことが好ましい。
【００１５】
また、前記装置制御部は、前記印刷物を収容するものが複数ある場合、前記印刷物を収容するもののそれぞれ、前記印刷物を収容するもののうち最も大きなもの、及び前記印刷物を収容するもののうち最も収容物が少ないもの、の何れか１つに応じて、前記収容適合印刷設定を作成する、ことが好ましい。
【００１６】
また、前記画像形成装置は、前記操作者を検知する人感センサー、をさらに備え、前記装置制御部は、前記人感センサーにより検知された前記操作者と前記画像形成装置との間の距離と、前記電子機器と前記画像形成装置との間の距離と、が同一であると判定する場合、前記仕様情報に対応する前記印刷物を収容するものが、前記操作者が使用するものであると判定する、ことが好ましい。
【００１７】
また、前記収容適合印刷設定は、前記印刷物の出力サイズが、前記印刷物を収容するものの収容可能サイズより小さい、ことが好ましい。
【００１８】
また、前記収容適合印刷設定は、前記印刷物の出力枚数が、前記印刷物を収容するものの収容可能枚数より少ない、ことが好ましい。
【００１９】
また、前記装置制御部は、前記表示操作部に前記仕様情報を報知させ、且つ前記仕様情報を報知させた内容の確認入力を前記表示操作部に受け付けさせる、ことが好ましい。
【００２０】
本開示の第２の側面である画像形成装置は、電子機器と通信を行い、各種情報を送受信し、且つ印刷物を出力する画像形成装置であって、前記電子機器から送信される前記各種情報の１つとして、前記印刷物を収容するものの仕様情報を受信する装置通信部と、前記装置通信部により受信される前記仕様情報に基づき、前記印刷物を収容するものの収容容量に応じた少なくとも１つ以上の収容適合印刷設定を作成する装置制御部と、を備え、前記収容適合印刷設定は、前記印刷物を収容するものの収容可能容量以下で前記印刷物を出力させる印刷条件であることにより、本開示の第１の側面である情報処理システムと同様に、美観を損ねることなく、且つ持ち運びに適した印刷形態で印刷物を出力させることができる。
【発明の効果】
【００２１】
本開示の第１の側面及び第２の側面によれば、美観を損ねることなく、且つ持ち運びに適した印刷形態で印刷物を出力させることができる。
【図面の簡単な説明】
【００２２】
【図１】本開示を適用した情報処理システム１の全体構成例を示す図である。
【図２】印刷物を収容するものの収容可能容量を超えて出力された印刷物の一例を示す図である。
【図３】印刷物を収容するものの仕様情報を参照して印刷物を収容するものの収容可能容量以下で出力された印刷物の一例を示す図である。
【図４】印刷物を収容するものの仕様情報を参照して印刷物を収容するものの収容可能容量以下で出力された印刷物の他の一例を示す図である。
【図５】印刷物を収容するものの仕様情報の一例を示す図である。
【図６】画像形成装置５及び電子機器７のそれぞれの機能構成を示すブロック図である。
【図７】電子機器７と、ＩＣタグ１１１＿１と、ＩＣタグ１１１＿２との連携例を示す図である。
【図８】操作者印刷設定５１１１及び収容適合印刷設定５１１２＿１，５１１２＿２の画面５１１の一例を示す図である。
【図９】収容適合印刷設定５１１２＿３の画面５１１の一例を示す図である。
【図１０】収容可能枚数を考慮した収容適合印刷設定５１１２＿４，５１１２＿５の画面５１１の一例を示す図である。
【図１１】仕様情報の報知及び報知させた内容の確認入力の画面５１１の一例を示す図である。
【図１２】動作モード設定の画面５１１の一例を示す図である。
【図１３】情報処理システム１の制御例を説明するフローチャートである。
【図１４】検出処理を説明するフローチャートである。
【図１５】収容適合印刷設定処理を説明するフローチャートである。
【図１６】収容可能サイズ決定処理を説明するフローチャートである。
【図１７】収容物検知処理を説明するフローチャートである。
【発明を実施するための形態】
【００２３】
以下、図面に基づいて本開示の実施形態を説明するが、本開示は以下の実施形態に限られるものではない。なお、本開示の実施形態の説明で使用されているように、「構成する」、「より成る」、「含む」、「含んでいる」、「有する」、「備える」又はそれらの他の何らかの同義語は、非排他的な包含関係をカバーするように意図される。例えば、要素の列挙を含むプロセス、方法、物品又は装置は、それらの要素だけに限定されることは必須でなく、明示的には列挙されていない又は本来備わっているはずの他の要素が、そのようなプロセス、方法、物品又は装置に含まれてもよい。さらに、明示的に言及しない限り、「又は」は包括的なものであり、排他的な和ではない。例えば、「条件Ａ又はＢ」は、Ａが存在し且つＢが存在しない場合、Ａが存在せず且つＢが存在する場合、ＡもＢも両方とも存在する場合の何れの場合でも満たされるものである。
【００２４】
本開示はここで説明される処理を実行する装置にも関連している。その装置は、必要な目的に応じて特別に構築されてもよいし、コンピュータに格納されているコンピュータプログラムによって選択的にアクティブにされる又は再構成される汎用コンピュータで構築されてもよい。
【００２５】
また、ここで説明されるアルゴリズムは、特定のコンピュータその他の装置のどれにも固有に関連するものではない。さまざまな汎用システムがここで教示するものによるプログラムと共に使用されてよく、又は、必要な方法ステップを実行するように、よりいっそう特化した装置を構築することが便利なことが分かるかもしれない。これらさまざまなシステムに必要な構造は以下の説明から明らかになるであろう。さらに、本開示は特定のプログラミング言語のどれにも依存しない。ここで説明される本開示の教示内容を実現するのにさまざまなプログラミング言語が使用されてよいことが分かるであろう。
【００２６】
図１は、本開示を適用した情報処理システム１の全体構成例を示す図である。図１に示すように、情報処理システム１は、印刷物を出力する画像形成装置５と、画像形成装置５と通信を行う電子機器７と、が各種情報を送受信するものである。電子機器７は、印刷物を収容するものである鞄３に収容されるＩｏＴ機器、又は印刷物を収容するものである鞄３に組み込まれるＩｏＴ機器であることが好ましい。画像形成装置５は、人感センサー５２及び装置通信部５３を含む。人感センサー５２は、フォトダイオードのような量子型センサー又は焦電型赤外線センサーのような熱型センサーから構成され、操作者Ａが画像形成装置５に近づくと操作者Ａを検知する。装置通信部５３は、電子機器７のような端末と相互に通信可能なインターフェースであり、ＷｉＦｉ（登録商標）又はＢｌｕｅｔｏｏｔｈ（登録商標）等の規格による近距離無線通信網に接続する機能を有するネットワークインターフェースが用いられるものであって、電子機器７を探索し、印刷物を収容するものである鞄３の仕様情報を受信するものである。つまり、装置通信部５３は、電子機器７から送信される各種情報の１つとして、印刷物を収容するものの仕様情報を受信するものである。なお、以降の説明においては、印刷物を収容するものの一例として、鞄３を用いる一例について説明するが、印刷物を収容するものは、鞄３でなくてもよい。例えば、リュック又はポーチ等であってもよい。
【００２７】
図２は、印刷物を収容するものの収容可能容量を超えて出力された印刷物の一例を示す図である。図２に示すように、鞄３がＡ４サイズであって、且つ印刷物がＡ３サイズである場合、印刷物は鞄３からはみだすことになる。そこで、印刷物は、鞄３の仕様情報を参照して出力されるのが好ましい。図３は、印刷物を収容するものの仕様情報を参照して印刷物を収容するものの収容可能容量以下で出力された印刷物の一例を示す図である。図３に示すように、Ａ３サイズの印刷物は、鞄３がＡ４サイズであるため、中折り処理をすることで出力結果サイズがＡ４サイズとなり、鞄３に入ることができる大きさとなる。図４は、印刷物を収容するものの仕様情報を参照して印刷物を収容するものの収容可能容量以下で出力された印刷物の他の一例を示す図である。図４に示すように、Ａ３サイズの印刷物は、鞄３がＡ４サイズであるため、縮小処理をすることで出力結果サイズがＡ４サイズとなり、鞄３に入ることができる大きさとなる。図５は、印刷物を収容するものの仕様情報の一例を示す図である。図５に示すように、印刷物を収容するものの仕様情報は、ブランド名、型番、ポケット名、最大収容可能サイズ、最大収容可能枚数、収容物有無、及び所有者を特定すればよい。なお、印刷物を収容するものの仕様情報は、最大収容可能サイズ及び最大収容可能枚数の何れか一方だけであってもよい。
【００２８】
図６は、画像形成装置５及び電子機器７のそれぞれの機能構成を示すブロック図である。図６に示すように、画像形成装置５は、人感センサー５２及び装置通信部５３の他に、表示操作部５１、記憶部５４、画像形成部５５、原稿読取部５６、電源部５７、入出力インターフェース５８、及び装置制御部５９を含む。表示操作部５１は、操作者Ａの操作を受け付けるものであり、又は操作者Ａの操作内容に関連する情報を表示するものである。表示操作部５１は、例えば、タッチパネル付き液晶ディスプレイ又は各種キーにより構成される。記憶部５４は、例えば、ＲＯＭ（Ｒｅａｄ  Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）により構成され、ＯＳ（Ｏｐｅｒａｔｉｎｇ  Ｓｙｓｔｅｍ）、各種制御モジュール、及び各種データを記憶するものである。
【００２９】
画像形成部５５は、例えば印刷エンジンであり、電子写真方式により帯電、露光、現像、転写、及び定着の各工程を経て、用紙に画像データに基づく画像形成を行い、出力するものである。原稿読取部５６は、例えばスキャナーであり、原稿台の予め設定された読み取り位置にセットされた原稿に蛍光ランプ等の光源で光を当て、その反射光をＣＣＤ（Ｃｈａｒｇｅ―Ｃｏｕｐｌｅｄ  Ｄｅｖｉｃｅ）イメージセンサー等の撮像装置で光電変換し、その電気信号から画像データを生成するものである。電源部５７は、交流の商用電源を直流電源に変換し、画像形成装置５の各部の電源となるものである。入出力インターフェース５８は、外部機器と通信を行うためのインターフェースであり、イーサネット（登録商標）等の規格によるネットワーク通信網、又はＩＥＥＥ８０２．１１等の規格による無線通信網に接続する機能を有するネットワークインターフェースが用いられるものである。なお、入出力インターフェース５８は、ネットワーク１０と接続され、ネットワーク１０を介して外部機器と通信を行うことができる。装置制御部５９は、ＲＯＭ、ＲＡＭ、及びＣＰＵを含み、ＲＯＭ又は記憶部５４に記憶されている各種制御モジュール及び各種データにより画像形成装置５の各部を制御するものである。
【００３０】
電子機器７は、機器通信部７３、記憶部７４、電源部７７、及び機器制御部７９を含む。機器通信部７３は、画像形成装置５のような装置と相互に通信可能なインターフェースであり、ＷｉＦｉ（登録商標）又はＢｌｕｅｔｏｏｔｈ（登録商標）等の規格による近距離無線通信網に接続する機能を有するネットワークインターフェースが用いられるものであって、画像形成装置５により探索され、印刷物を収容するものである鞄３の仕様情報を画像形成装置５に送信するものである。記憶部７４は、例えば、ＲＯＭ又はＳＳＤ（Ｓｏｌｉｄ  Ｓｔａｔｅ  Ｄｒｉｖｅ）により構成され、ＯＳ（Ｏｐｅｒａｔｉｎｇ  Ｓｙｓｔｅｍ）、各種制御モジュール、及び各種データを記憶するものである。電源部７７は、１次電池又は２次電池により構成され、電子機器７の各部の電源となるものである。機器制御部７９は、ＲＯＭ、ＲＡＭ、及びＣＰＵを含み、ＲＯＭ又は記憶部７４に記憶されている各種制御モジュール及び各種データにより電子機器７の各部を制御するものである。
【００３１】
図７は、電子機器７と、ＩＣタグ１１１＿１と、ＩＣタグ１１１＿２との連携例を示す図である。図７に示すように、電子機器７は、鞄３に組み込まれている。鞄３は、ペットボトル１０１及び雑誌１０２を収容している。ペットボトル１０１にはＩＣタグ１１１＿１が貼り付けられ、雑誌１０２にはＩＣタグ１１１＿２が貼り付けられている。ＩＣタグ１１１＿１は、ペットボトル１０１のサイズが記憶されている。電子機器７は、ＩＣタグ１１１＿１によりペットボトル１０１のサイズを取得することができる。ＩＣタグ１１１＿２は、雑誌１０２のサイズが記憶されている。電子機器７は、ＩＣタグ１１１＿２により雑誌１０２のサイズを取得することができる。なお、ＩＣタグ１１１＿１及びＩＣタグ１１１＿２を総称する場合、ＩＣタグ１１１と称する。
【００３２】
図８は、操作者印刷設定５１１１及び収容適合印刷設定５１１２＿１，５１１２＿２の画面５１１の一例を示す図である。図８に示すように、操作者印刷設定５１１１には、印刷物の出力結果サイズ、倍率、及び部数が含まれている。また、収容適合印刷設定５１１２＿１には、印刷物の出力結果サイズ、倍率、及び部数が含まれている。また、収容適合印刷設定５１１２＿２には、印刷物の出力結果サイズ、倍率、部数、及び仕上方法が含まれている。図９は、収容適合印刷設定５１１２＿３の画面５１１の一例を示す図である。図９に示すように、収容適合印刷設定５１１２＿３には、印刷物の出力結果サイズ及び仕上方法が含まれている。図１０は、収容可能枚数を考慮した収容適合印刷設定５１１２＿４，５１１２＿５の画面５１１の一例を示す図である。図１０に示すように、操作者印刷設定５１１１には、印刷物の出力結果サイズ、倍率、部数、及び印刷物の総出力枚数が含まれている。また、収容適合印刷設定５１１２＿４には、印刷物の出力結果サイズ、倍率、部数、集約方法、及び印刷物の総出力枚数が含まれ、集約方法が両面となっている。また、収容適合印刷設定５１１２＿５には、印刷物の出力結果サイズ、倍率、部数、集約方法、及び印刷物の総出力枚数が含まれ、集約方法が２面付けとなっている。なお、収容適合印刷設定５１１２＿１〜５１１２＿５の何れかを特に限定しない場合、収容適合印刷設定５１１２と称する。図１１は、仕様情報の報知及び報知させた内容の確認入力の画面５１１の一例を示す図である。図１１に示すように、画面５１１には、了承用の選択ボタン５１１３＿１と、否認用の選択ボタン５１１３＿２とが表示されている。なお、選択ボタン５１１３＿１，５１１３＿２を総称する場合、選択ボタン５１１３と称する。図１２は、動作モード設定の画面５１１の一例を示す図である。画面５１１には、パンフレットモード用の選択設定５１１４＿１と、優先モード用の選択設定５１１４＿２とが表示されている。なお、選択設定５１１４＿１，５１１４＿２を総称する場合、選択設定５１１４と称する。
【００３３】
次に、装置制御部５９の制御機能について説明する。図１３は、情報処理システム１の制御例を説明するフローチャートである。図１４は、検出処理を説明するフローチャートである。図１５は、収容適合印刷設定処理を説明するフローチャートである。図１６は、収容可能サイズ決定処理を説明するフローチャートである。装置制御部５９は、装置通信部５３により受信される仕様情報と、画像形成装置５の操作者Ａの操作により設定される操作者印刷設定５１１１と、に基づき、鞄３のように印刷物を収容するものの収容容量に応じた少なくとも１つ以上の収容適合印刷設定５１１２を作成する。
【００３４】
収容適合印刷設定５１１２は、鞄３のように印刷物を収容するものの収容可能容量以下で印刷物を出力させる印刷条件である。なお、収容適合印刷設定５１１２は、印刷物が出力される前に操作者Ａに報知されてもよい。収容適合印刷設定５１１２は、印刷物の出力サイズが、鞄３のように印刷物を収容するものの収容可能サイズより小さい。収容適合印刷設定５１１２は、出力物の出力枚数が、鞄３のように印刷物を収容するものの収容可能枚数より少ない。
【００３５】
ステップＳ１１において、装置制御部５９は、人感センサー５２が装備されているか否かを判定する。装置制御部５９は、人感センサー５２が装備されていると判定する場合（ステップＳ１１；Ｙ）、ステップＳ１２の処理に移行する。装置制御部５９は、人感センサー５２が装備されていないと判定する場合（ステップＳ１１；Ｎ）、ステップＳ２５の処理に移行する。ステップＳ２５において、装置制御部５９は、表示操作部５１と連携し、パネル操作があるか否かを判定する。装置制御部５９は、パネル操作があると判定する場合（ステップＳ２５；Ｙ）、ステップＳ１３の処理に移行する。装置制御部５９は、パネル操作がないと判定する場合（ステップＳ２５；Ｎ）、ステップＳ２５の処理を継続する。ステップＳ１２において、装置制御部５９は、人感センサー５２の検知結果に基づき、接近した操作者Ａがいるか否かを判定する。装置制御部５９は、接近した操作者Ａがいると判定する場合（ステップＳ１２；Ｙ）、ステップＳ１３の処理に移行する。装置制御部５９は、接近した操作者Ａがいないと判定する場合（ステップＳ１２；Ｎ）、ステップＳ１２の処理を継続する。
【００３６】
ステップＳ１３において、検出処理が実行される。図１４を用いて検出処理を説明する。ステップＳ４１において、装置制御部５９は、鞄フラグを１に設定する。ステップＳ４２において、装置制御部５９は、装置通信部５３と連携して、無線通信で鞄３を探索する。ステップＳ４３において、装置制御部５９は、鞄３があるか否かを判定する。装置制御部５９は、鞄３があると判定する場合（ステップＳ４３；Ｙ）、ステップＳ４４の処理に移行する。装置制御部５９は、鞄３がないと判定する場合（ステップＳ４３；Ｎ）、検出処理を終了してステップＳ１４の処理に移行する。ステップＳ４４において、装置制御部５９は、鞄フラグを０に設定する。ステップＳ４５において、装置制御部５９は、装置通信部５３と連携し、最も近い位置にある鞄３を特定する。例えば、装置通信部５３が受信する電波の強度を利用し、最も近い位置にある鞄３を特定する。ステップＳ４６において、装置制御部５９は、鞄３の仕様情報を取得する。
【００３７】
ステップＳ４７において、装置制御部５９は、鞄３の所有者を特定する。具体的には、装置制御部５９は、人感センサー５２により検知された操作者Ａと画像形成装置５との間の距離と、電子機器７と画像形成装置５との間の距離と、が同一であると判定する場合、電子機器７から送信された仕様情報に対応する印刷物を収容するものが、操作者Ａが使用するものであると判定する。なお、装置制御部５９は、表示操作部５１に仕様情報を報知させ、且つ仕様情報を報知させた内容の確認入力を表示操作部５１に受け付けさせることが好ましい。また、仕様情報に基づき、鞄３の所有者を特定してもよい。
【００３８】
ステップＳ４８において、装置制御部５９は、装置通信部５３と連携し、同じ所有者の鞄３が周辺にあるか否かを判定する。装置制御部５９は、同じ所有者の鞄３が周辺にあると判定する場合（ステップＳ４８；Ｙ）、ステップＳ４９の処理に移行する。装置制御部５９は、同じ所有者の鞄３が周辺にないと判定する場合（ステップＳ４８；Ｎ）、検出処理を終了してステップＳ１４の処理に移行する。ステップＳ４９において、装置制御部５９は、同じ所有者の別の鞄３の仕様情報を取得し、検出処理を終了してステップＳ１４の処理に移行する。
【００３９】
ステップＳ１４において、装置制御部５９は、鞄フラグが１であるか否かを判定する。装置制御部５９は、鞄フラグが１であると判定する場合（ステップＳ１４；Ｙ）、ステップＳ１５の処理に移行する。装置制御部５９は、鞄フラグが１でないと判定する場合（ステップＳ１４；Ｎ）、ステップＳ１８の処理に移行する。ステップＳ１５において、装置制御部５９は、気象情報を取得する。気象情報は、将来の予測ではなく現在のものであればよい。ステップＳ１６において、装置制御部５９は、降雨状態であるか否かを判定する。装置制御部５９は、降雨状態であると判定する場合（ステップＳ１６；Ｙ）、ステップＳ１７の処理に以降する。装置制御部５９は、降雨状態でないと判定する場合（ステップＳ１６；Ｎ）、ステップＳ１８の処理に移行する。ステップＳ１７において、装置制御部５９は、印刷物の運搬に適した選択肢を報知する。装置制御部５９は、例えば、表面がビニル加工されている袋を、印刷物の運搬の選択肢として表示操作部５１により報知すればよい。つまり、装置制御部５９は、装置通信部５３が仕様情報を受信しない場合、表示操作部５１が操作者Ａの操作を受け付けているときの気象情報に基づき、印刷物の運搬に適した選択肢を表示操作部５１に報知させる。
【００４０】
ステップＳ１８において、装置制御部５９は、動作モードがパンフレットモードであるか否かを判定する。装置制御部５９は、動作モードがパンフレットモードであると判定する場合（ステップＳ１８；Ｙ）、ステップＳ２６の処理に移行する。ステップＳ２６において、装置制御部５９は、収容適合印刷設定処理を実行し、ステップＳ２７の処理に移行する。収容適合印刷設定処理の詳細は後述する。ステップＳ２７において、装置制御部５９は、印刷受付画面を表示し、ステップＳ２８の処理に移行する。ステップＳ２８において、装置制御部５９は、表示操作部５１と連携し、印刷開始指示があるか否かを判定する。装置制御部５９は、印刷開始指示があると判定する場合（ステップＳ２８；Ｙ）、ステップＳ２９の処理に移行する。装置制御部５９は、印刷開始指示がないと判定する場合（ステップＳ２８；Ｎ）、ステップＳ２８の処理を継続する。装置制御部５９は、動作モードがパンフレットモードでないと判定する場合（ステップＳ１８；Ｎ）、ステップＳ１９に移行する。ステップＳ１９において、装置制御部５９は、表示操作部５１を介して、操作者印刷設定５１１１を受け付ける。ステップＳ２０において、装置制御部５９は、表示操作部５１と連携し、印刷開始指示があるか否かを判定する。装置制御部５９は、印刷開始指示があると判定する場合（ステップＳ２０；Ｙ）、ステップＳ２１の処理に移行する。装置制御部５９は、印刷開始指示がないと判定する場合（ステップＳ２０；Ｎ）、ステップＳ１９の処理に戻る。
【００４１】
ステップＳ２１において、装置制御部５９は、収容適合印刷設定処理を実行する。図１５を用いて収容適合印刷設定処理を説明する。ステップＳ６１において、装置制御部５９は、印刷フラグを０に設定する。ステップＳ６２において、装置制御部５９は、動作モードがパンフレットモードであるか否かを判定する。装置制御部５９は、動作モードがパンフレットモードであると判定する場合（ステップＳ６２；Ｙ）、ステップＳ７４の処理に移行する。ステップＳ７４において、装置制御部５９は、収容可能サイズ決定処理を実行し、ステップＳ７５の処理に移行する。なお、収容可能サイズ決定処理の詳細については後述する。ステップＳ７５において、装置制御部５９は、標準印刷設定に基づき印刷物の出力結果サイズを算出し、ステップＳ７６の処理に移行する。ステップＳ７６において、装置制御部５９は、印刷物の出力結果サイズが収容可能サイズより大きいか否かを判定する。装置制御部５９は、印刷物の出力結果サイズが収容可能サイズより大きいと判定する場合（ステップＳ７６；Ｙ）、ステップＳ６６の処理に移行する。装置制御部５９は、印刷物の出力結果サイズが収容可能サイズより大きくないと判定する場合（ステップＳ７６；Ｎ）、ステップＳ７７の処理に移行する。ステップＳ７７において、装置制御部５９は、標準印刷設定を収容適合印刷設定５１１２とし、ステップＳ６７の処理に移行する。装置制御部５９は、動作モードがパンフレットモードでないと判定する場合（ステップＳ６２；Ｎ）、ステップＳ６３の処理に移行する。
【００４２】
ステップＳ６３において、装置制御部５９は、収容可能サイズ決定処理を実行する。図１６を用いて収容可能サイズ決定処理を説明する。ステップＳ９１において、装置制御部５９は、鞄３のような印刷物を収容するものの仕様情報を取得する。ステップＳ９２において、装置制御部５９は、鞄３のような印刷物を収容するものにある全ての収容箇所数の合計を算出する。ステップＳ９３において、装置制御部５９は、収容箇所数が１であるか否かを判定する。装置制御部５９は、収容箇所数が１であると判定する場合（ステップＳ９３；Ｙ）、ステップＳ１０２の処理に移行する。ステップＳ１０２において、装置制御部５９は、収容箇所の収容可能サイズを算出し、ステップＳ１０３の処理に移行する。装置制御部５９は、収容箇所数が１でないと判定する場合（ステップＳ９３；Ｎ）、ステップＳ９４の処理に移行する。ステップＳ９４において、装置制御部５９は、動作モードが空きスペース優先モードであるか否かを判定する。装置制御部５９は、動作モードが空きスペース優先モードであると判定する場合（ステップＳ９４；Ｙ）、ステップＳ９５の処理に移行する。装置制御部５９は、動作モードが空きスペース優先モードでないと判定する場合（ステップＳ９４；Ｎ）、ステップＳ９８の処理に移行する。
【００４３】
ステップＳ９５において、装置制御部５９は、複数の収容箇所のうち収容物のない収容箇所があるか否かを判定する。装置制御部５９は、複数の収容箇所のうち収容物のない収容箇所があると判定する場合（ステップＳ９５；Ｙ）、ステップＳ９６の処理に移行する。装置制御部５９は、複数の収容箇所のうち収容物のない収容箇所がないと判定する場合（ステップＳ９５；Ｎ）、ステップＳ９７の処理に移行する。ステップＳ９６において、装置制御部５９は、収容物のない収容箇所のうち一番大きな収容箇所の収容可能サイズを算出し、ステップＳ１０３の処理に移行する。ステップＳ９７において、装置制御部５９は、複数の収容箇所のうち一番大きな空きスペースに収容可能な収容可能サイズを算出し、ステップＳ１０３の処理に移行する。
【００４４】
ステップＳ９８において、装置制御部５９は、動作モードが最大収納箇所優先モードであるか否かを判定する。装置制御部５９は、動作モードが最大収納箇所優先モードであると判定する場合（ステップＳ９８；Ｙ）、ステップＳ９９の処理に移行する。装置制御部５９は、動作モードが最大収納箇所優先モードでないと判定する場合（ステップＳ９８；Ｎ）、ステップＳ１００の処理に移行する。ステップＳ９９において、装置制御部５９は、複数の収容箇所のうち一番大きな収容箇所の収容可能サイズを算出し、ステップＳ１０３の処理に移行する。ステップＳ１００において、装置制御部５９は、動作モードがパンフレットモードであるか否かを判定する。装置制御部５９は、動作モードがパンフレットモードであると判定する場合（ステップＳ１００；Ｙ）、ステップＳ９９の処理に移行する。装置制御部５９は、動作モードがパンフレットモードでないと判定する場合（ステップＳ１００；Ｎ）、ステップＳ１０１の処理に移行する。ステップＳ１０１において、装置制御部５９は、複数の収容箇所のそれぞれの収容可能サイズとその種類を算出し、ステップＳ１０３の処理に移行する。
【００４５】
ステップＳ１０３において、装置制御部５９は、印刷物の収容可能サイズを確定し、収容可能サイズ決定処理を終了してステップＳ６４に戻る。つまり、装置制御部５９は、鞄３のように印刷物を収容するものに複数の収容箇所がある場合、印刷物を収容するものにある複数の収容箇所のそれぞれに応じて収容適合印刷設定５１１２を作成する。装置制御部５９は、鞄３のように印刷物を収容するものにある複数の収容箇所のうち、最も大きな収容箇所及び最も収容物が少ない収容箇所の何れか一方に応じて、収容適合印刷設定５１１２を作成する。装置制御部５９は、鞄３のように収容物を収容するものが複数ある場合、印刷物を収容するもののそれぞれ、印刷物を収容するもののうち最も大きなもの、及び印刷物を収容するもののうち最も収容物が少ないもの、の何れか１つに応じて、収容適合印刷設定５１１２を作成する。なお、動作モードは、複数のモードが設定されてもよい。例えば、図１２の一例では、動作モードは、パンフレットモードと、最大収納箇所優先モードとが設定されている。
【００４６】
ステップＳ６４において、装置制御部５９は、操作者印刷設定５１１１に基づき印刷物の出力結果サイズを算出する。ステップＳ６５において、装置制御部５９は、印刷物の出力結果サイズが収容可能サイズより大きいか否かを判定する。装置制御部５９は、印刷物の出力結果サイズが収容可能サイズより大きいと判定する場合（ステップＳ６５；Ｙ）、ステップＳ６６の処理に移行する。装置制御部５９は、印刷物の出力結果サイズが収容可能サイズより大きくないと判定する場合（ステップＳ６５；Ｎ）、ステップＳ６８の処理に移行する。ステップＳ６６において、装置制御部５９は、収容適合印刷設定５１１２を作成する。ステップＳ６７において、装置制御部５９は、印刷フラグを１に設定する。ステップＳ６８において、装置制御部５９は、印刷フラグが１であるか否かを判定する。装置制御部５９は、印刷フラグが１であると判定する場合（ステップＳ６８；Ｙ）、ステップＳ６９の処理に移行する。装置制御部５９は、印刷フラグが１でないと判定する場合（ステップＳ６８；Ｎ）、ステップＳ７８の処理に移行する。ステップＳ７８において、装置制御部５９は、操作者印刷設定５１１１に基づき印刷物の出力結果枚数を算出し、ステップＳ７０の処理に移行する。
【００４７】
ステップＳ６９において、装置制御部５９は、収容適合印刷設定５１１２に基づき印刷物の出力結果枚数を算出する。ステップＳ７０において、装置制御部５９は、印刷物の出力結果枚数が収容可能枚数より多いか否かを判定する。装置制御部５９は、印刷物の出力結果枚数が収容可能枚数より多いと判定する場合（ステップＳ７０；Ｙ）、ステップＳ７１の処理に移行する。装置制御部５９は、印刷物の出力結果枚数が収容可能枚数より多くないと判定する場合（ステップＳ７０；Ｎ）、収容適合印刷設定処理を終了してステップＳ２２の処理に移行する。
【００４８】
ステップＳ７１において、装置制御部５９は、印刷フラグが０であるか否かを判定する。装置制御部５９は、印刷フラグが０であると判定する場合（ステップＳ７１；Ｙ）、ステップＳ７２の処理に移行する。装置制御部５９は、印刷フラグが０でないと判定する場合（ステップＳ７１；Ｎ）、ステップＳ７３の処理に移行する。ステップＳ７２において、装置制御部５９は、収容適合印刷設定５１１２に印刷設定を設定する。ステップＳ７３において、装置制御部５９は、収容適合印刷設定５１１２を更新し、収容適合印刷設定処理を終了してステップＳ２２の処理に移行する。
【００４９】
ステップＳ２２において、装置制御部５９は、収容適合印刷設定５１１２を表示する。具体的には、装置制御部５９は、操作者印刷設定５１１１に基づき出力される操作印刷物が、鞄３のような印刷物を収容するものの収容可能容量を超える場合、収容適合印刷設定５１１２を表示操作部５１に報知させるのが好ましい。ステップＳ２３において、装置制御部５９は、表示操作部５１と連携し、操作者印刷設定５１１１が選択されたか否かを判定する。装置制御部５９は、操作者印刷設定５１１１が選択されたと判定する場合（ステップＳ２３；Ｙ）、ステップＳ２９の処理に移行する。ステップＳ２９において、装置制御部５９は、画像形成部５５と連携し、収容適合印刷設定５１１２に基づき印刷を実行し、画像形成部５５に印刷物を出力させる。装置制御部５９は、操作者印刷設定５１１１が選択されないと判定する場合（ステップＳ２３；Ｎ）、ステップＳ２４の処理に移行する。ステップＳ２４において、装置制御部５９は、画像形成部５５と連携し、操作者印刷設定５１１１に基づき印刷を実行し、画像形成部５５に印刷物を出力させる。
【００５０】
つまり、装置制御部５９は、操作者印刷設定５１１１及び収容適合印刷設定５１１２の何れか一方を表示操作部５１により選択可能とする。また、装置制御部５９は、操作者印刷設定５１１１が設定又は選択されない場合、収容適合印刷設定５１１２に基づき、印刷物を出力させる。
【００５１】
図１７は、収容物検知処理を説明するフローチャートである。ステップＳ１２１において、機器制御部７９は、画像形成装置５と通信が確立したか否かを判定する。機器制御部７９は、画像形成装置５と通信が確立したと判定する場合（ステップＳ１２１；Ｙ）、ステップＳ１２２の処理に移行する。機器制御部７９は、画像形成装置５と通信が確立しないと判定する場合（ステップＳ１２１；Ｎ）、ステップＳ１２１の処理を継続する。ステップＳ１２２において、機器制御部７９は、画像形成装置５から仕様情報の要求があるか否かを判定する。機器制御部７９は、画像形成装置５から仕様情報の要求があると判定する場合（ステップＳ１２２；Ｙ）、ステップＳ１２３の処理に移行する。機器制御部７９は、画像形成装置５から仕様情報の要求がないと判定する場合（ステップＳ１２２；Ｎ）、ステップＳ１２２の処理を継続する。ステップＳ１２３において、機器制御部７９は、ＩＣタグ１１１との通信を確立する。ステップＳ１２４において、機器制御部７９は、反応のあるＩＣタグ１１１から収容物情報を取得する。ステップＳ１２５において、機器制御部７９は、収容物情報を画像形成装置５に送信し、収容物検知処理を終了する。
【００５２】
以上の説明から、本開示を適用した情報処理システム１は、印刷物を収容するものの仕様情報に基づき、印刷物を収容するものの収容容量に応じた少なくとも１つ以上の収容適合印刷設定５１１２を作成するものであり、収容適合印刷設定５１１２は、印刷物を収容するものの収容可能容量以下に印刷物を出力させる印刷条件である。よって、印刷物を収容するものに応じた印刷条件が作成されるため、印刷物を収容するものに適した印刷条件を操作者Ａに提案することができる。例えば、コンビニエンスストアで印刷するお客様には、印刷開始前に印刷条件を提案することにより、運搬に適した印刷物の出力の設定にお客様を誘導させることができる。また、パンフレットを受け取るお客様には、印刷物を収容するものに直ぐに収納でき、且つ持ち帰りやすい配布形態を提供することができる。したがって、美観を損ねることなく、且つ持ち運びに適した印刷形態で印刷物を出力させることができる。
【００５３】
また、本開示を適用した情報処理システム１は、操作者Ａの操作により設定される操作者印刷設定５１１１に基づき出力される操作印刷物が、印刷物を収容するものの収容可能容量を超える場合、収容適合印刷設定５１１２を表示操作部５１に報知させる。よって、操作者印刷設定５１１１が印刷物を収容するものに適合していない場合、収容適合印刷設定５１１２が報知される。したがって、印刷物が出力される前に、操作者印刷設定５１１１が収容に適さないことを報知することができるため、印刷設定の変更の機会を操作者Ａに与えることができる。
【００５４】
また、本開示を適用した情報処理システム１は、操作者印刷設定５１１１及び収容適合印刷設定５１１２の何れか一方を表示操作部５１により選択可能とする。よって、操作者Ａは、操作者印刷設定５１１１及び収容適合印刷設定５１１２の何れか一方を選択することができる。したがって、印刷物が出力される前に、印刷設定の再確認を操作者Ａにさせることができるため、無駄な印刷物の出力動作を回避することができる。
【００５５】
また、本開示を適用した情報処理システム１は、操作者印刷設定５１１１が設定又は選択されない場合、収容適合印刷設定５１１２に基づき、印刷物を出力させる。よって、印刷物を収容するもの毎に適した印刷物を自動的に提供できる。したがって、操作者Ａを煩わせることなく印刷物を出力することができる。
【００５６】
また、本開示を適用した情報処理システム１は、画像形成装置５が印刷物を収容するものの仕様情報を受信しない場合、表示操作部５１が操作者Ａの操作を受け付けているときの気象情報に基づき、印刷物の運搬に適した選択肢を報知する。よって、印刷物を収容するものの仕様情報を特定できなかったとしても、気象状況に基づく運搬の選択肢を報知することができる。したがって、印刷物の持ち帰りの移動中に、気象状況に起因する汚れ等が印刷物に付着する状況を回避することができる。
【００５７】
また、本開示を適用した情報処理システム１は、印刷物を収容するものに複数の収容箇所がある場合、印刷物を収容するものにある複数の収容箇所のそれぞれに応じて収容適合印刷設定５１１２を作成する。よって、印刷物を収容するものの内部状況を考慮して、収容適合印刷設定５１１２を作成することができる。したがって、印刷物を収容するものに印刷物をより確実に収容することができる。
【００５８】
また、本開示を適用した情報処理システム１は、印刷物を収容するものにある複数の収容箇所のうち、最も大きな収容箇所及び最も収容物が少ない収容箇所の何れか一方に応じて、収容適合印刷設定５１１２を作成する。よって、印刷物を収容するものの内部状況を具体的に考慮して、収容適合印刷設定５１１２を作成することができる。したがって、印刷物を収容するものに印刷物を特に顕著に確実に収容することができる。
【００５９】
また、本開示を適用した情報処理システム１は、印刷物を収容するものが複数ある場合、印刷物を収容するもののそれぞれ、印刷物を収容するもののうち最も大きなもの、及び印刷物を収容するもののうち最も収容物が少ないもの、の何れか１つに応じて、収容適合印刷設定５１１２を作成することができる。よって、印刷物を収容するものの中から印刷物を収容可能なものに適した印刷設定が作成される。したがって、操作者Ａは、印刷物を収容するものの仕様を意識することなく、印刷物の出力指示操作をすることができる。
【００６０】
また、本開示を適用した情報処理システム１は、人感センサー５２により検知された操作者Ａと画像形成装置５との間の距離と、電子機器７と画像形成装置５との間の距離と、が同一であると判定する場合、電子機器７から送信された仕様情報に対応する印刷物を収容するものが、操作者Ａが使用するものであると判定する。よって、操作者Ａが使用するものであって、印刷物を収容するものに適した印刷条件で、印刷物が出力される。したがって、操作者Ａは、印刷物を収容するものに収容可能な印刷物を取得することができる。
【００６１】
また、本開示を適用した情報処理システム１は、収容適合印刷設定５１１２は、印刷物の出力サイズが、印刷物を収容するものの収容可能サイズより小さい。よって、印刷物は、印刷物を収容するものに確実に収容される。したがって、美観を損ねることなく持ち帰りやすい配布形態で印刷物を出力することができる。
【００６２】
また、本開示を適用した情報処理システム１は、収容適合印刷設定５１１２は、印刷物の出力枚数が、印刷物を収容するものの収容可能枚数よりも少ない。よって、印刷物は、印刷物を収容するものに確実に収容される。したがって、無駄にかさばることなく持ち帰りやすい配布形態で印刷物を出力することができる。
【００６３】
また、本開示を適用した情報処理システム１は、表示操作部５１に印刷物を収容するものの仕様情報を報知させ、その報知させた内容の確認入力を表示操作部５１に受け付けさせる。よって、印刷物を収容するものの仕様情報を操作者Ａに確実に確認させることができる。したがって、操作者Ａの勘違いを未然に防ぐことができるため、誤入力による無駄な印刷物の出力を回避でき、且つ資源の有効活用をすることができる。
【００６４】
以上、本開示を適用した情報処理システム１を実施形態に基づいて説明したが、本開示はこれに限定されるものではなく、本開示の趣旨を逸脱しない範囲で、変更を加えてもよい。
【００６５】
例えば、鞄３の収容物にＩＣタグ１１１が貼り付けられている一例について説明したが、これに限らず、電子機器７が加速度センサーのような振動を検知するセンサーを含み、検知された振動に応じて収容物を予測するものであってもよい。
【００６６】
また、上記で説明した各種判定処理において、各種フラグを用いた一例を説明したが、これに限らず、各判定結果に基づき以降の処理が選択されて処理されるものであればよい。
【００６７】
また、ネットワーク１０に接続された不図示の他のコンピュータが、画像形成装置５の記憶部５４又は電子機器７の記憶部７４に記憶されたプログラムを書き換える、又は新たなプログラムを追加して書き込むようにしてもよい。さらに、画像形成装置５又は電子機器７が、ネットワーク１０に接続された不図示の他のコンピュータからプログラムをダウンロードし、そのダウンロードしたプログラムを画像形成装置５の記憶部５４又は電子機器７の記憶部７４に記憶してもよい。このようプログラムは、装置制御部５９を構成するＣＰＵ又は機器制御部７９を構成するＣＰＵが直接実行可能なプログラムだけではなく、ソースプログラム、圧縮処理されたプログラム、又は暗号化されたプログラム等であってもよい。
【００６８】
なお、上記で説明した一連の処理は、ハードウェアにより実行させることもでき、ソフトウェアにより実行させることもできる。一連の処理をソフトウェアにより実行させる場合は、そのソフトウェアを構成するプログラムが、各種のプログラムをインストールすることで、各種の機能を実行することが可能なコンピュータに、プログラムを記録する記録媒体から、又は、インターネット等を介して、インストールされるものである。
【００６９】
また、スケジューリングされた印刷ジョブである場合、上記で説明した報知をすることなく、収容適合印刷設定５１１２に基づき、印刷物が出力されてもよい。
【符号の説明】
【００７０】
１  情報処理システム、３  鞄、５  画像形成装置、５１  表示操作部
５２  人感センサー、５３  装置通信部、５４  記憶部、５５  画像形成部
５６  原稿読取部、５７  電源部、５８  入出力インターフェース、５９  装置制御部
５１１  画面、５１１１操作者印刷設定
５１１２，５１１２＿１〜５１１２＿５  収容適合印刷設定
５１１３，５１１３＿１，５１１３＿２  選択ボタン
５１１４，５１１４＿１，５１１４＿２  選択設定
７  電子機器、７３  機器通信部、７４  記憶部、７７  電源部、７９  機器制御部
１０  ネットワーク、１０１  ペットボトル、１０２  雑誌
１１１，１１１＿１，１１１＿２  ＩＣタグ
Ａ  操作者
【図１】
2018200362.tif 000003
【図２】
2018200362.tif 000004
【図３】
2018200362.tif 000005
【図４】
2018200362.tif 000006
【図５】
2018200362.tif 000007
【図６】
2018200362.tif 000008
【図７】
2018200362.tif 000009
【図８】
2018200362.tif 000010
【図９】
2018200362.tif 000011
【図１０】
2018200362.tif 000012
【図１１】
2018200362.tif 000013
【図１２】
2018200362.tif 000014
【図１３】
2018200362.tif 000015
【図１４】
2018200362.tif 000016
【図１５】
2018200362.tif 000017
【図１６】
2018200362.tif 000018
【図１７】
2018200362.tif 000019